(57)【特許請求の範囲】
【請求項１】
ディスプレイ領域（１４）と、前記ディスプレイ領域（１４）を囲む非ディスプレイ領域（１５）とを有するディスプレイ画面（１０）と、
第１の接合部分（２１）と、前記第１の接合部分の端部から曲がる第２の接合部分（２２）と、前記第２の接合部分（２２）から曲がる第３の接合部分（２３）とを備えるコネクタ（２０）であって、前記第１の接合部分（２１）は、前記ディスプレイ画面（１０）の頂面（１１）に結合され、かつ前記ディスプレイ画面（１０）の前記非ディスプレイ領域（１５）に配置され、前記ディスプレイ領域（１４）は、前記第１の接合部分（２１）の外に露出され、前記第２の接合部分（２２）は、前記ディスプレイ画面（１０）の側壁（１３）に向き合い、前記第３の接合部分（２３）は、前記ディスプレイ画面（１０）の底面（１２）に取り付けられ、かつ前記非ディスプレイ領域（１５）に対応する、コネクタ（２０）と、
前記ディスプレイ画面（１０）の前記頂面（１１）、および前記第１の接合部分（２１）に位置付けられた下面（３１）を有するカバー・プレート（３０）と、
前記ディスプレイ画面（１０）の前記底面（１２）および前記第３の接合部分（２３）に接合された頂部分（４１）を有するブラケット（４０）と
を備え、
前記第１の接合部分（２１）は、前記ディスプレイ画面（１０）の前記頂面（１１）に密着するように平坦な直線形状を有し、前記第２の接合部分（２２）は、前記ディスプレイ画面（１０）の側壁（１３）に密着するように平坦な直線形状を有し、
前記第１の接合部分（２１）は、前記ディスプレイ画面（１０）の前記頂面（１１）に接着され、前記第２の接合部分（２２）は、前記ディスプレイ画面（１０）の前記側壁（１３）に接着されるディスプレイ画面組立品（１００）。
【請求項２】
前記ディスプレイ画面（１０）は、有機発光ダイオード・フレキシブル画面を備える、請求項１に記載のディスプレイ画面組立品（１００）。
【請求項３】
前記コネクタ（２０）は、薄膜、金属シート、およびプラスチック・シートのうちのいずれか１つを備える、請求項１に記載のディスプレイ画面組立品（１００）。
【請求項４】
前記第１の接合部分（２１）は、接着することを手段として前記ディスプレイ画面（１０）の前記非ディスプレイ領域（１５）において結合される、請求項１に記載のディスプレイ画面組立品（１００）。
【請求項５】
前記第１の接合部分（２１）は、前記非ディスプレイ領域（１５）のすべてを覆う、または
前記第１の接合部分（２１）は、前記非ディスプレイ領域（１５）の一部を覆う、請求項１に記載のディスプレイ画面組立品（１００）。
【請求項６】
前記第３の接合部分（２３）は、接着することを手段として前記ディスプレイ画面（１０）の前記底面（１２）に接合される、請求項１に記載のディスプレイ画面組立品（１００）。
【請求項７】
前記ディスプレイ画面（１０）の前記頂面（１１）は、前記カバー・プレート（３０）の前記下面（３１）にフルラミネーション様態で接合される、請求項１に記載のディスプレイ画面組立品（１００）。
【請求項８】
前記ディスプレイ画面（１０）の前記頂面（１１）は、光学透明接着剤を手段として前記カバー・プレート（３０）の前記下面（３１）に接着される、請求項１に記載のディスプレイ画面組立品（１００）。
【請求項９】
前記ブラケット（４０）は、前記頂部分（４１）の端部から上向きに延びる側壁（４２）を備える、ディスプレイ画面組立品（１００）であって、
装飾筐体（７０）をさらに備え、前記装飾筐体（７０）は、前記ブラケット（４０）の前記側壁（４２）の頂に配置され、かつ前記カバー・プレート（３０）および前記ディスプレイ画面（１０）を囲む、請求項１に記載のディスプレイ画面組立品（１００）。
【請求項１０】
前記装飾筐体（７０）は、インモールド射出成形を手段として前記ブラケット（４０）に接合される、請求項９に記載のディスプレイ画面組立品（１００）。
【発明の詳細な説明】
【技術分野】
【０００１】
本開示は、電子デバイスの技術分野に関し、詳細には、ディスプレイ画面組立品、ディスプレイ画面組立品を組み立てるための方法、および電子デバイスに関する。
【背景技術】
【０００２】
技術の発展とともに、スマートフォンが、ますます広く使用され、かつますます多くの機能を有し、それ故、人々の日常生活において必要な電子デバイスとなっている。現在、モバイル電話の大きいディスプレイ領域が、ウェブ・ページをブラウズすること、読むこと、映画を観ること、ゲームをすることなどのユーザの要求をよりよく満たすことができる。したがって、現在のスマートフォンは、より大きい画面を有し、フルスクリーン電話が、登場する。フルスクリーン電話は、フレキシブル画面を用い、フレキシブル画面に接合されたカバー・プレートが、電話が落下したとき、フレキシブル画面を引っ張り、それにより、フレキシブル画面が層状に剥離すること、および容易にひび割れすることをもたらす。
【発明の概要】
【発明が解決しようとする課題】
【０００３】
本開示の実施形態は、ディスプレイ画面組立品、ディスプレイ画面組立品を組み立てるための方法、および電子デバイスを提供する。
【課題を解決するための手段】
【０００４】
本開示の実施形態の第１の態様によれば、ディスプレイ画面組立品が提供される。ディスプレイ画面組立品は、ディスプレイ画面と、コネクタと、カバー・プレートと、ブラケットとを含む。ディスプレイ画面は、ディスプレイ領域と、ディスプレイ領域を囲む非ディスプレイ領域とを含む。コネクタは、第１の接合部分と、第１の接合部分の端部から曲がる第２の接合部分と、第２の接合部分から曲がる第３の接合部分とを含む。第１の接合部分は、ディスプレイ画面の頂面に結合され、かつディスプレイ画面の非ディスプレイ領域に配置され、ディスプレイ領域は、第１の接合部分の外に露出される。第２の接合部分は、ディスプレイ画面の側壁に向き合い、第３の接合部分は、ディスプレイ画面の底面に取り付けられ、かつ非ディスプレイ領域に対応する。カバー・プレートは、ディスプレイ画面の頂面、および第１の接合部分に位置付けられた下面を有する。ブラケットは、ディスプレイ画面の底面、および第３の接合部分に接合された頂部分を含む。
【０００５】
一部の実施形態において、ディスプレイ画面は、有機発光ダイオード・フレキシブルＯＬＥＤ画面を含む。
【０００６】
一部の実施形態において、コネクタは、薄膜、金属シート、およびプラスチック・シートのうちのいずれか１つを含む。
【０００７】
一部の実施形態において、第１の接合部分は、接着することを手段としてディスプレイ画面の非ディスプレイ領域において結合される。
【０００８】
一部の実施形態において、第１の接合部分は、非ディスプレイ領域のすべてを覆う、または第１の接合部分は、非ディスプレイ領域の一部を覆う。
【０００９】
一部の実施形態において、第２の接合部分は、ディスプレイ画面の側壁に接合される。
【００１０】
一部の実施形態において、第２の接合部分は、接着することを手段としてディスプレイ画面の側壁に接合される。
【００１１】
一部の実施形態において、第３の接合部分は、接着することを手段としてディスプレイ画面の底面に接合される。
【００１２】
一部の実施形態において、ディスプレイ画面の頂面は、カバー・プレートの下面にフルラミネーション様態で接合される。
【００１３】
一部の実施形態において、ディスプレイ画面の頂面は、光学的に透明な接着剤を手段としてカバー・プレートの下面に接着される。
【００１４】
一部の実施形態において、ブラケットは、頂部分の端部から上向きに延びる側壁を含み、ディスプレイ画面組立品は、装飾筐体をさらに含み、装飾筐体は、ブラケットの側壁の頂に配置され、かつカバー・プレートおよびディスプレイ画面を囲む。
【００１５】
一部の実施形態において、装飾筐体は、インモールド射出成形を手段としてブラケットに接合される。
【００１６】
本開示の実施形態の第２の態様によれば、ディスプレイ画面組立品を組み立てるための方法が提供される。方法は：
ディスプレイ画面、コネクタ、カバー・プレート、およびブラケットを提供することであって、ディスプレイ画面は、ディスプレイ領域と、非ディスプレイ領域とを含み、コネクタは、第１の接合部分と、第２の接合部分と、第３の接合部分とを含む、提供すること、
第１の接合部分をカバー・プレートの下面に結合すること、
カバー・プレートの下面をディスプレイ画面の頂面に位置付けること、
第１の接合部分をディスプレイ画面の非ディスプレイ領域において結合し、かつディスプレイ領域を第１の接合部分の外に露出すること、
第２の接合部分をディスプレイ画面の側壁に向けて曲げて、第２の接合部分が、ディスプレイ画面の側壁に向き合うようにすること、
第３の接合部分をディスプレイ画面の底面に向けて曲げて、第３の接合部分が、非ディスプレイ領域に対応するようにすること、
ディスプレイ画面の底面をブラケットの頂部分に結合すること、および
第３の接合部分をブラケットの頂部分に結合することを含む。
【００１７】
本開示の第３の態様によれば、電子デバイスが、提供される。電子デバイスは、前述の実施形態によるディスプレイ画面組立品と、ディスプレイ画面組立品と後部カバーの間の収容スペースを画定するディスプレイ画面組立品に結合された後部カバーとを含む。
【００１８】
一部の実施形態において、電子デバイスは、バッテリをさらに含み、バッテリは、収容スペースに収容される。
【００１９】
本開示の実施形態による電子デバイス、ディスプレイ画面組立品、およびディスプレイ画面組立品を組み立てるための方法において、コネクタは、カバー・プレートをブラケットに接合して、電子デバイスが落下し、それ故、衝突もしくは揺さぶりを受けた場合、カバー・プレートが、衝突もしくは揺さぶりのためにディスプレイ画面を上向きに引っ張り、コネクタが、下向きに引っ張る力をカバー・プレートに加えて、カバー・プレートによってディスプレイ画面に作用する上向きの牽引力が減少し、それにより、ディスプレイ画面が層状に剥離すること、およびひび割れすることを防止するようにする。
【００２０】
本開示の実施形態のさらなる態様および利点は、以下の説明において部分的に与えられ、以下の説明から部分的に明白となり、または本開示の実施形態の実践から習得される。
【００２１】
本開示の実施形態のこれら、および／またはさらなる態様および利点は、以下の図面を参照して行われる説明から明白となり、より容易に理解されよう。
【図面の簡単な説明】
【００２２】
【図１】本開示の一実施形態による電子デバイスを示す透視図である。
【図２】本開示の一実施形態による電子デバイスを示す平面図である。
【図３】図２における線Ｘ−Ｘまたは線Ｙ−Ｙに沿って切り取られた本開示の一実施形態による電子デバイスを示す断面図である。
【図４】図３における部分ＩＶを示す部分的に拡大された図である。
【図５】本開示の一実施形態によるコネクタを示す平面図である。
【図６】本開示の一実施形態によるディスプレイ画面組立品を組み立てるための方法を示すフローチャートである。
【図７】本開示の一実施形態によるディスプレイ画面組立品を組み立てるための方法を示す平面図である。
【図８】本開示の別の一実施形態による電子デバイスを示す部分的に拡大された図である。
【図９】本開示の別の一実施形態による電子デバイスを示す部分的に拡大された図である。
【図１０】本開示の別の一実施形態による電子デバイスを示す部分的に拡大された図である。
【図１１】図２における線Ｘ−Ｘまたは線Ｙ−Ｙに沿って切り取られた本開示の別の一実施形態による電子デバイスを示す断面図である。
【図１２】図１１における部分ＸＩＩを示す部分的に拡大された図である。
【図１３】本開示の別の一実施形態によるコネクタを示す平面図である。
【図１４】本開示の一実施形態によるディスプレイ画面組立品を組み立てるための方法を示すフローチャートである。
【図１５】本開示の一実施形態によるディスプレイ画面組立品を組み立てるための方法を示す平面図である。
【図１６】本開示の別の一実施形態による電子デバイスを示す部分的に拡大された図である。
【図１７】本開示の別の一実施形態による電子デバイスを示す部分的に拡大された図である。
【図１８】本開示の別の一実施形態による電子デバイスを示す部分的に拡大された図である。
【発明を実施するための形態】
【００２３】
本開示の実施形態に対する参照が詳細に行われる。図面を参照して本明細書において説明される実施形態は、説明的であり、例示的であり、かつ本開示を一般的に理解するのに使用される。実施形態は、本開示を限定するものと解釈されるべきではない。同一の、または類似した要素、および同一の、または類似した機能を有する要素は、説明全体にわたって同様の参照符号によって表される。
【００２４】
本明細書において、「中心の」、「縦方向の」、「横方向の」、「長さ」、「幅」、「厚さ」、「上方」、「下方」、「前」、「後ろ」、「左」、「右」、「垂直の」、「水平の」、「頂側」、「底側」、「内側」、「外側」、「時計回り」、および「反時計回り」などの用語は、そのときに説明される、または検討中の図面に示される向きを参照するものと解釈されたい。これらの相対的用語は、説明の便宜のためであり、本開示が特定の向きで解釈されることも、操作されることも要求しない。さらに、「第１の」および「第２の」などの用語は、説明の目的で本明細書において使用され、相対的な重要度もしくは有意性を示す、もしくは暗示するようにも、示される技術的特徴の数を暗示するようにも意図されていない。したがって、「第１の」および「第２の」で規定される特徴は、この特徴のうちの１つまたは複数を含むことができる。本開示の説明において、「複数の」という用語は、特に別途明記されない限り、２つ以上を意味する。
【００２５】
本開示において、特に別途明記または限定されない限り、「取り付けられた」、「接続された」、「固定された」という用語は、広く使用され、特定の状況に応じて当業者によって理解されてよく、例えば、固定された接続、着脱可能な接続、または一体化した接続であってよく、機械的接続もしくは電気的接続であってもよく、直接の接続、もしくは介在する構造体を介した間接の接続であってもよく、２つの要素の内部の連絡であってもよい。
【００２６】
本開示において、特に別途明記または限定されない限り、第１の特徴が第２の特徴の「上」または「下」にある構造は、第１の特徴が第２の特徴と直接に接触している実施形態を含んでよく、第１の特徴と第２の特徴が互いに直接に接触していないが、これらの間に形成されたさらなる特徴を介して接続された実施形態を含んでもよい。さらに、第２の特徴の「上の」、「上方の」、または「頂部の」第１の特徴は、第１の特徴が第２の特徴の真っ直ぐ、もしくは斜め「上」、「上方」、または「頂部」にある実施形態を含んでよく、または第１の特徴が第２の特徴の高さより高い高さにあることを単に意味し、その一方で、第２の特徴の「下方の」、「下の」、または「底部の」第１の特徴は、第１の特徴が第２の特徴の真っ直ぐ、もしくは斜め「下方」、「下」、または「底部」にある実施形態を含んでよく、または第１の特徴が第２の特徴の高さより低い高さにあることを単に意味する。
【００２７】
以下の説明において、本開示の様々な構造を実施する様々な実施形態および例が提供される。本開示を単純化するために、いくつかの要素および設定が説明される。しかし、これらの要素および設定は、例に過ぎず、本開示を限定するようには意図されていない。さらに、本開示における様々な例において参照符号が繰り返されてよい。この繰返しは、単純明瞭のためであり、様々な実施形態および／または設定の間の関係に言及するものではない。さらに、様々なプロセスおよび材料の例が、本開示において提供される。しかし、他のプロセスおよび／または材料が適用されてもよいことが当業者には理解されよう。
【００２８】
図１および図２に示されるとおり、本開示の実施形態による電子デバイス２００は、ディスプレイ画面組立品１００を含む。電子デバイス２００は、モバイル電話、タブレット・コンピュータ、スマート・ウォッチなどであってよい。実施形態において、モバイル電話は、説明のために電子デバイス２００の例とされる。
【００２９】
図２から図３に示されるとおり、ディスプレイ画面組立品１００は、画像およびテキストを表示するように構成され、かつユーザからタッチ操作を受け取るようにも構成される。ディスプレイ画面組立品１００は、ディスプレイ画面１０と、コネクタ２０と、カバー・プレート３０と、ブラケット４０とを含む。
【００３０】
図３から図４に示されるとおり、図３に示される断面図は、図２における方向Ｘ−Ｘまたは方向Ｙ−Ｙに沿って切り取られた電子デバイス２００の断面図であってよい。ディスプレイ画面１０は、長方形ブロックの形状に構成され、頂面１１と、底面１２と、側壁１３とを含む。頂面１１は、底面１２の反対側にあり、側壁１３が、頂面１１を底面１２と接続し、側壁１３は、頂面１１および底面１２に対して実質的に垂直である。ディスプレイ画面１０は、ディスプレイ領域１４と、非ディスプレイ領域１５とを含む。ディスプレイ領域１４は、実質的に長方形の形状であり、ディスプレイ画面１０の頂面１１の中央に配置され、かつディスプレイ領域１４は、画像、ビデオ、テキスト、または類似した情報を表示するように構成される。非ディスプレイ領域１５は、ディスプレイ画面１０の頂面１１の周辺部に配置され、かつディスプレイ領域１４を囲み、非ディスプレイ領域１５は、「回」の形状をしている。一部の実施形態において、非ディスプレイ領域１５は、伸張された「回」の形状をしている。すなわち、非ディスプレイ領域１５は、同心の貫通する溝をもたらすように中央部分が取り除かれた長方形の形状を有する。本開示の実施形態において、ディスプレイ画面１０は、有機発光ダイオード（ＯＬＥＤ）フレキシブル画面であってよい。ディスプレイ画面１０は、複数の層によって構成される。例えば、ディスプレイ画面１０は、陰極板、発光ダイオード層、陽極板、偏光板などを含む。
【００３１】
図３から図５に示されるとおり、コネクタ２０は、「回」の形状を有する第１の接合部分２１と、第１の接合部分２１の４つの端部から曲がる第２の接合部分２２と、第２の接合部分２２から曲がる第３の接合部分２３とを含む。一部の実施形態において、第１の接合部分２１は、伸張された「回」の形状をしている。すなわち、第１の接合部分２１は、同心の貫通する溝をもたらすように中央部分が取り除かれた長方形の形状を有する。第１の接合部分２１は、ディスプレイ画面１０の頂面１１に結合され、かつディスプレイ画面１０の非ディスプレイ領域１５に配置され、ディスプレイ領域１４が、第１の接合部分２１の外に露出される。本開示の一実施形態において、第１の接合部分２１は、接着することを手段としてディスプレイ画面１０の非ディスプレイ領域１５において結合されてよい。一部の実施形態において、第１の接合部分２１は、接着することを手段としてディスプレイ画面１０上に結合されることに限定されず、はめ込むこと（ｓｎａｐｐｉｎｇ）、溶接することなどを手段としてディスプレイ画面１０上に結合されてもよい。第２の接合部分２２は、ディスプレイ画面１０の側壁１３に向き合い、第３の接合部分２３は、ディスプレイ画面１０の底面１２に密着させられ、かつ非ディスプレイ領域１５に対応する。コネクタ２０は、薄膜、金属シート、プラスチック・シートなどであってよい。
【００３２】
図４に示されるとおり、カバー・プレート３０は、電子デバイス２００の前方に、かつディスプレイ画面１０の頂面１１に配置される。カバー・プレート３０は、長方形ブロックの形状に構成され、下面３１を含む。下面３１は、ディスプレイ画面１０の頂面１１に向き合い、頂面１１、およびコネクタ２０の第１の接合部分２１に接合される。カバー・プレート３０の下面３１は、ディスプレイ画面１０の頂面１１にフルラミネーション様態で位置付けられる。一部の実施形態において、カバー・プレート３０の下面３１は、光学透明接着剤（ｏｐｔｉｃａｌｌｙ  ｃｌｅａｒ  ａｄｈｅｓｉｖｅ）（ＯＣＡ）、光学透明樹脂（ＯＣＲ）などを手段としてディスプレイ画面１０の頂面にフルラミネーションされてよい。本開示の一実施形態において、カバー・プレート３０は、タッチスクリーン・カバー・プレートとして構成され、すなわち、タッチスクリーンのタッチ制御回路がカバー・プレート３０に組み込まれ、タッチ機能は、カバー・プレート３０をクリックすることによって実施することができる。カバー・プレート３０は、ガラス、サファイア、ポリ塩化ビニル（ＰＶＣ）などで作られてよい。一部の実施形態において、カバー・プレート３０は、構造体の２つの層、すなわち、タッチパネルと、タッチパネル上に配置された保護カバーシートとを含む。タッチパネルは、タッチスクリーンのタッチ制御構造を含み、かつディスプレイ画面組立品１００のタッチ操作を実施するように構成され、保護カバーシートは、タッチパネル上の直接のタッチ操作のためにタッチパネルが損傷されることから保護するように構成される。すなわち、カバー・プレート３０は、タッチスクリーンをよりよく保護するタッチスクリーンの役割をする。
【００３３】
図４に示されるとおり、ブラケット４０は、ディスプレイ画面１０、コネクタ２０、およびカバー・プレート３０をサポートするように構成される。ブラケット４０は、頂部分４１を含み、頂部分４１は、長方形の端面を有する。頂部分４１は、ディスプレイ画面１０の底面１２、および第３の接合部分２３に接合される。本開示の一実施形態において、第３の接合部分２３は、接着することを手段として、一部の実施形態において、接着剤または粘着剤（ｇｌｕｉｎｇ）を施すことによって頂部分４１に結合されてよい。一部の実施形態において、第３の接合部分２３は、接着することを手段としてブラケット４０に結合されることに限定されず、第３の接合部分２３は、はめ込むこと、溶接することなどを手段としてブラケット４０に結合されてもよい。一部の実施形態において、ブラケット４０は、鋼鉄、アルミニウム合金、またはマグネシウム合金などの金属材料で作られてよい。本開示の一実施形態において、ブラケット４０の材料は、鋼鉄および／またはマグネシウム合金である。他の一部の実施形態において、ブラケット４０の材料は、アクリロニトリル・ブタジエン・スチレン（ＡＢＳ）共重合体、ポリ塩化ビニル（ＰＶＣ）、またはポリカーボネート（ＰＣ）などの非金属であってもよい。一部の実施形態において、ブラケット４０の材料は、前述したものに限定されず、適切な材料が、実際の使用における必要性に応じて選択されてよい。
【００３４】
図４から図７に示されるとおり、ディスプレイ画面組立品１００が組み立てられる前、コネクタ２０は、図５に示されるとおり平板構造体（ｐｌａｎａｒ  ｐｌａｔｅ  ｓｔｒｕｃｔｕｒｅ）として現れる。ディスプレイ画面組立品１００を組み立てるための方法は、以下のブロックにおけるアクションを含む。
【００３５】
ブロックＳ１において：コネクタ２０の第１の接合部分２１の上面２１２が、カバー・プレート３０の下面３１に接着される。
【００３６】
ブロックＳ２において：カバー・プレート３０の下面３１が、光学透明接着剤（ＯＣＡ）を手段としてディスプレイ画面１０の頂面１１にフルラミネーション様態で位置付けられる。
【００３７】
ブロックＳ３において：コネクタ２０の第１の接合部分２１の下面２１４が、ディスプレイ画面１０の非ディスプレイ領域１５に接着され、かつディスプレイ領域１４が、第１の接合部分２１の外に露出される。
【００３８】
ブロックＳ４において：コネクタ２０の第２の接合部分２２が、ディスプレイ画面１０の側壁１３に向けて曲げられて、第２の接合部分２２が、ディスプレイ画面１０の側壁１３に向き合うようになる。
【００３９】
ブロックＳ５において：コネクタ２０の第３の接合部分２３が、ディスプレイ画面１０の底面１２に向けて曲げられて、第３の接合部分２３が、非ディスプレイ領域１５に対応するようになる。このため、コネクタ２０は、第１の接合部分２１、第２の接合部分２２、および第３の接合部分２３においてディスプレイ画面１０の側壁１３を包む。
【００４０】
ブロックＳ６において：ディスプレイ画面１０の底面１２が、ブラケット４０の頂部分４１に接着様態で結合される。
【００４１】
ブロックＳ７において：コネクタ２０の第３の接合部分２３が、ブラケット４０の頂部分４１に接着されて、コネクタ２０の第３の接合部分２３が、ブラケット４０の頂部分４１に結合されるようになる。
【００４２】
ブロックＳ１からＳ７におけるアクションは、順番に実施される。他の実施形態において、ブロックＳ２におけるアクションとブロックＳ３におけるアクションは、同時に実行されてよく、ブロックＳ６におけるアクションとブロックＳ７におけるアクションもまた、同時に実行されてよい。このため、ディスプレイ画面１０、コネクタ２０、およびカバー・プレート３０は、ブラケット４０の頂部分４１に結合されてよい。
【００４３】
別の一実施形態において、図４から図７に示されるとおり、前述の組立て方法におけるブロックにおけるアクションは、以下の順序：ブロックＳ１、ブロックＳ３、ブロックＳ２、ブロックＳ４、ブロックＳ５、ブロックＳ６、ブロックＳ７の順序で実行されてよく、ここで、ブロックＳ３におけるアクションとブロックＳ２におけるアクションは、同時に実行されてよく、ブロックＳ６におけるアクションとブロックＳ７におけるアクションもまた、同時に実行されてよい。
【００４４】
さらに別の一実施形態において、図４から図７に示されるとおり、前述の組立て方法におけるブロックにおけるアクションは、以下の順序：ブロックＳ１、ブロックＳ４、ブロックＳ２、ブロックＳ３、ブロックＳ５、ブロックＳ６、ブロックＳ７の順序で実行されてよく、ここで、ブロックＳ２におけるアクションとブロックＳ３におけるアクションは、同時に実行されてよく、ブロックＳ６におけるアクションとブロックＳ７におけるアクションもまた、同時に実行されてよい。
【００４５】
別の一実施形態において、図４から図７に示されるとおり、前述の組立て方法におけるブロックにおけるアクションは、以下の順序：ブロックＳ１、ブロックＳ４、ブロックＳ３、ブロックＳ２、ブロックＳ５、ブロックＳ６、ブロックＳ７の順序で実行されてよく、ここで、ブロックＳ３とブロックＳ２は、同時に実行されてよく、ブロックＳ６とブロックＳ７もまた、同時に実行されてよい。
【００４６】
別の一実施形態において、図４から図７に示されるとおり、前述の組立て方法におけるブロックにおけるアクションは、以下の順序：ブロックＳ２、ブロックＳ３、ブロックＳ１、ブロックＳ４、ブロックＳ５、ブロックＳ６、ブロックＳ７の順序で実行されてよく、ここで、ブロックＳ２におけるアクションとブロックＳ３におけるアクションは、同時に実行されてよく、ブロックＳ６におけるアクションとブロックＳ７におけるアクションもまた、同時に実行されてよい。
【００４７】
別の一実施形態において、図４から図７に示されるとおり、前述の組立て方法におけるブロックにおけるアクションは、以下の順序：ブロックＳ２、ブロックＳ３、ブロックＳ４、ブロックＳ１、ブロックＳ５、ブロックＳ６、ブロックＳ７の順序で実行されてよく、ここで、ブロックＳ２におけるアクションとブロックＳ３におけるアクションは、同時に実行されてよく、ブロックＳ６におけるアクションとブロックＳ７におけるアクションもまた、同時に実行されてよい。
【００４８】
さらに別の一実施形態において、図４から図７に示されるとおり、前述の組立て方法におけるブロックにおけるアクションは、以下の順序：ブロックＳ３、ブロックＳ４、ブロックＳ１、ブロックＳ２、ブロックＳ５、ブロックＳ６、ブロックＳ７の順序で実行されてよく、ここで、ブロックＳ３におけるアクションとブロックＳ４におけるアクションは、同時に実行されてよく、ブロックＳ１におけるアクションとブロックＳ２におけるアクションもまた、同時に実行されてよい。
【００４９】
さらに別の一実施形態において、図４から図７に示されるとおり、前述の組立て方法におけるブロックにおけるアクションは、以下の順序：ブロックＳ３、ブロックＳ４、ブロックＳ５、ブロックＳ１、ブロックＳ２、ブロックＳ６、ブロックＳ７の順序で実行されてよく、ここで、ブロックＳ１におけるアクションとブロックＳ２におけるアクションは、同時に実行されてよく、ブロックＳ６におけるアクションとブロックＳ７におけるアクションもまた、同時に実行されてよい。
【００５０】
ディスプレイ画面組立品を組み立てるための前述の方法におけるブロック（ブロックＳ１からブロックＳ７）におけるアクションの実行順序は、前段でリストアップされる順序に限定されず、ディスプレイ画面組立品の組立てが完成されてよい限り、他の様々な順序で実行される前述のブロック（ブロックＳ１からブロックＳ７）を含む他の任意の組立て方法が、本開示の保護範囲に入ることを理解されたい。
【００５１】
図３に示されるとおり、本開示の実施形態において、電子デバイス２００は、後部カバー５０と、バッテリ６０とをさらに含む。後部カバー５０は、収容スペース２０２を形成するようにディスプレイ画面組立品１００と接合され、バッテリ６０が、収容スペース２０２に収容される。一部の実施形態において、後部カバー５０とブラケット４０の間の接続様態は、接着すること、はめ込むこと、ねじ込み接続（ｔｈｒｅａｄｅｄ  ｃｏｎｎｅｃｔｉｏｎ）、またはねじ留めすることであってよい。
【００５２】
本開示の実施形態による電子デバイス２００、ディスプレイ画面組立品１００、およびディスプレイ画面組立品を組み立てるための方法において、コネクタ２０が、カバー・プレート３０をブラケット４０と接合するのに使用され、したがって、電子デバイス２００が落下し、それ故、衝突もしくは揺さぶりを受けた場合、カバー・プレート３０が、衝突もしくは揺さぶりのためにディスプレイ画面１０を上向きに引っ張り、コネクタ２０が、下向きに引っ張る力をカバー・プレート３０に加えて、カバー・プレート３０によってディスプレイ画面１０に作用する上向きの牽引力が減少し、それにより、ディスプレイ画面１０が層状に剥離すること、およびひび割れすることを防止するようにする。さらに、第１の接合部分２１、第２の接合部分２２、および第３の接合部分２３が、ディスプレイ画面１０の側壁１３を一緒に包むので、ディスプレイ画面１０が層状に剥離すること、およびひび割れすることが、さらに制限される。
【００５３】
一部の実施形態において、コネクタ２０の第１の接合部分２１がディスプレイ画面１０の非ディスプレイ領域１５に接着される面積は、非ディスプレイ領域１５の面積以下である、すなわち、第１の接合部分２１は、非ディスプレイ領域１５の一部またはすべてを覆う。このため、第１の接合部分２１がディスプレイ画面１０のディスプレイ領域１４を遮蔽しないようにされてよく、ディスプレイ画面１０が大きいディスプレイ領域を有することが確実にされる。
【００５４】
図８に示されるとおり、一部の実施形態において、さらに、コネクタ２０の第２の接合部分２２が、ディスプレイ画面１０の側壁１３に接合される。一部の実施形態において、第２の接合部分２２は、接着することによってディスプレイ画面１０の側壁１３に接合される。一部の実施形態において、第２の接合部分２２は、接着することを手段としてディスプレイ画面１０に結合されることに限定されず、第２の接合部分２２は、はめ込むこと、溶接することなどを手段としてディスプレイ画面１０の側壁１３に結合されてもよい。この事例において、電子デバイス２００およびディスプレイ画面組立品１００に関して、コネクタ２０の第２の接合部分２２とディスプレイ画面１０の側壁１３の間の接着特性は、ディスプレイ画面１０が層状に剥離すること、およびひび割れすることをさらに制限する。
【００５５】
図９に示されるとおり、一部の実施形態において、さらに、コネクタ２０の第３の接合部分２３が、ディスプレイ画面１０の底面１２に接合される。一部の実施形態において、第３の接合部分２３は、接着することを手段としてディスプレイ画面１０の底面１２に結合される。一部の実施形態において、第３の接合部分２３は、接着することを手段としてディスプレイ画面１０に結合されることに限定されず、第３の接合部分２３は、はめ込むこと、溶接することなどを手段としてディスプレイ画面１０の底面１２に結合されてもよい。
【００５６】
図４に示されるとおり、一部の実施形態において、ブラケット４０は、頂部分４１の端部から上向きに延びる側壁４２を含み、ディスプレイ画面組立品１００は、装飾筐体７０をさらに含む。装飾筐体７０は、ブラケット４０の側壁４２の上に配置され、かつカバー・プレート３０およびディスプレイ画面１０を囲む。一部の実施形態において、装飾筐体７０は、プラスチックで作られてよく、かつ装飾筐体７０は、ブラケット４０が前もって準備されるインモールド射出成形を手段としてブラケット４０に接合される。他の実施形態において、装飾筐体７０とブラケット４０は、一体化して成形され、一体構造を形成するように製造される。
【００５７】
図１０に示されるとおり、一部の実施形態において、さらに、コネクタ２０の第２の接合部分２２が、ブラケット４０の側壁４２に接合される。一部の実施形態において、第２の接合部分２２は、接着することによってブラケット４０の側壁４２に接合される。一部の実施形態において、第２の接合部分２２は、接着することを手段としてブラケット４０に結合されることに限定されず、第２の接合部分２２は、はめ込むこと、溶接することなどを手段としてブラケット４０の側壁４２に結合されてもよい。このようにして、コネクタ２０は、ブラケット４０の複数の表面（頂面４１および側壁４２）に接合されてよく、したがって、コネクタ２０とブラケット４０の間の接続は、安定している。このため、カバー・プレート３０とブラケット４０の間の接続は、コネクタ２０を使用することによって安定していてよく、カバー・プレート３０によってディスプレイ画面２０に作用する上向きの牽引力がさらに減少し、ディスプレイ画面が層状に剥離すること、およびひび割れすることが、さらに回避され得る。
【００５８】
いくつかの実施形態において、図２、および図１１から図１２に示されるとおり、図１１に示される断面図は、図２における方向Ｘ−Ｘまたは方向Ｙ−Ｙに沿って切り取られた電子デバイス２００の断面図であってよい。ディスプレイ画面１０は、長方形ブロックの形状に構成され、頂面１１と、底面１２と、側壁１３とを含む。頂面１１は、底面１２の反対側にあり、側壁１３が、頂面１１を底面１２と接続し、側壁１３は、頂面１１および底面１２に対して概ね垂直である。ディスプレイ画面１０は、ディスプレイ領域１４と、非ディスプレイ領域１５とを含む。ディスプレイ領域１４は、概ね長方形の形状であり、ディスプレイ画面１０の頂面１１の中央に配置される。ディスプレイ領域１４は、画像、ビデオ、テキスト、または類似した情報を表示するように構成される。非ディスプレイ領域１５は、ディスプレイ画面１０の頂面１１の周辺部に配置され、かつディスプレイ領域１４を囲む。非ディスプレイ領域１５は、「回」の形状をしている。一部の実施形態において、非ディスプレイ領域１５は、伸張された「回」の形状をしている。すなわち、非ディスプレイ領域１５は、同心の貫通する溝をもたらすように中央部分が取り除かれた長方形の形状を有する。
【００５９】
図１１から図１３に示されるとおり、コネクタ２０は、「回」の形状を有する第１の接合部分２１と、第１の接合部分２１の４つの端部から曲がる第２の接合部分２２と、第２の接合部分２２から曲がる第３の接合部分２３とを含む。一部の実施形態において、第１の接合部分２１は、伸張された「回」の形状をしている。すなわち、第１の接合部分２１は、同心の貫通する溝をもたらすように中央部分が取り除かれた長方形の形状を有する。一部の実施形態において、第１の接合部分２１は、ディスプレイ画面１０の非ディスプレイ領域１５上で支えられ、ディスプレイ領域１４は、第１の接合部分２１の外に露出される。第２の接合部分２２は、ディスプレイ画面１０の側壁１３に向き合う。第２の接合部分２２と第３の接合部分２３はともに、長方形ブロックの形状に構成されてよい。一部の実施形態において、第３の接合部分２３の断面は、長方形の形状であることに限定されず、三角形、台形、長円形などの形状であってよい。一部の実施形態において、第３の接合部分２３は、かぎ爪の形状に構成されてもよい。複数の第３の接合部分２３が設けられて、互いに間隔があけられてよく、すなわち、図１３に示されるとおり、第２の接合部分２２は、複数の第３の接合部分２３に対応してよい。または、第２の接合部分２２は、第３の接合部分２３に１対１で対応してよく、図５に示されるとおり、第３の接合部分２３と第２の接合部分２２は、長さが同一である。
【００６０】
図１２に示されるとおり、カバー・プレート３０は、電子デバイス２００の前方に、かつディスプレイ画面１０の頂面１１に配置される。カバー・プレート３０は、長方形ブロックの形状に構成され、下面３１を含む。下面３１は、ディスプレイ画面１０の頂面１１に向き合う。コネクタ２０の第１の接合部分２１が、カバー・プレート３０の下面３１に結合される。一部の実施形態において、第１の接合部分２１は、接着すること、溶接すること、ねじ込み接続などのうちのいずれか１つまたは複数を手段としてカバー・プレート３０の下面３１に結合されてよい。カバー・プレート３０の下面３１は、ディスプレイ画面１０の頂面１１に位置付けられる。一部の実施形態において、カバー・プレート３０の下面３１は、光学透明接着剤（ＯＣＡ）、光学透明樹脂（ＯＣＲ）などを手段としてディスプレイ画面１０の頂面にフルラミネーションされてよい。本開示の一実施形態において、カバー・プレート３０は、タッチスクリーン・カバー・プレート、すなわち、タッチスクリーンのタッチ制御回路がカバー・プレート３０に組み込まれ、タッチ機能は、カバー・プレート３０をクリックすることによって実施することができる。カバー・プレート３０は、ガラス、サファイア、ポリ塩化ビニル（ＰＶＣ）などで作られてよい。一部の実施形態において、カバー・プレート３０は、構造体の２つの層、すなわち、タッチパネルと、タッチパネル上に配置された保護カバーシートとを含む。タッチパネルは、タッチスクリーンのタッチ制御構造を含み、かつディスプレイ画面組立品１００のタッチ操作を実施するように構成され、保護カバーシートは、タッチパネル上の直接のタッチ操作のためにタッチパネルが損傷されることから保護するように構成される。すなわち、カバー・プレート３０は、タッチスクリーンをよりよく保護するタッチスクリーンの役割をする。
【００６１】
図１２に示されるとおり、ブラケット４０は、頂部分４１と、頂部分４１と反対側の底部分４３と、頂部分４１および底部分４３を貫通する穴４４とを含む。頂部分４１は、長方形の端面を有する。頂部分４１は、ディスプレイ画面１０の底面１２に接合される。コネクタ２０の第２の接合部分２２が、穴４４を通る。第３の接合部分２３が、曲げられ、かつ底部分４３に接して、コネクタ２０をブラケット４０に接続する。一部の実施形態において、第３の接合部分２３は、ひっかけること、はめ込むこと、クランプすること、および接着することのうちのいずれか１つによって、またはひっかけること、はめ込むこと、クランプすること、および接着することのうちの複数の組合せによってブラケット４０の底部分４３に結合されてよい。一部の実施形態において、ブラケット４０は、鋼鉄、アルミニウム合金、またはマグネシウム合金などの金属材料で作られてよい。本開示の実施形態における一部の実施形態において、ブラケット４０の材料は、鋼鉄および／またはマグネシウム合金である。他の一部の実施形態において、ブラケット４０の材料は、アクリロニトリル・ブタジエン・スチレン（ＡＢＳ）共重合体、ポリ塩化ビニル（ＰＶＣ）、またはポリカーボネート（ＰＣ）などの非金属であってもよい。一部の実施形態において、ブラケット４０の材料は、前述したものに限定されず、適切な材料が、実際の使用における必要性に応じて選択されてよい。
【００６２】
図１２から図１５に示されるとおり、実施形態におけるディスプレイ画面組立品１００が組み立てられる前、コネクタ２０は、図１３に示されるとおり平板構造体として現れる。ディスプレイ画面組立品１００を組み立てるための方法は、以下のブロックにおけるアクションを含む。
【００６３】
ブロックＳ１において：コネクタ２０の第１の接合部分２１の上面２１２が、カバー・プレート３０の下面３１に接着される。
【００６４】
ブロックＳ２において：カバー・プレート３０の下面３１が、光学透明接着剤（ＯＣＡ）を手段としてディスプレイ画面１０の頂面１１にフルラミネーション様態で位置付けられる。
【００６５】
ブロックＳ３において：コネクタ２０の第２の接合部分２２が、曲げられ、この事例において、第２の接合部分２２は、ディスプレイ画面１０の側壁１３に向き合う。
【００６６】
ブロックＳ４において：コネクタ２０の第２の接合部分２２、およびコネクタ２０の第３の接合部分２３が、ブラケット４０の穴４４を通る。
【００６７】
ブロックＳ５において：ディスプレイ画面１０の底面１２が、ブラケット４０の頂部分４１に粘着（ｇｌｕｉｎｇ）様態で接着される。
【００６８】
ブロックＳ６において：コネクタ２０の第３の接合部分２３が、曲げられ、ブラケット４０の底部分４３に結合される。一部の実施形態において、第３の接合部分２３は、ひっかけること、はめ込むこと、クランプすること、および接着することのうちのいずれか１つによって、またはひっかけること、はめ込むこと、クランプすること、および接着することのうちの複数の組合せによってブラケット４０の底部分４３に結合されてよい。
【００６９】
ブロックＳ１からＳ６におけるアクションは、順番に実行され、かつブロックＳ４におけるアクションとブロックＳ５におけるアクションは、同時に実行されてよい。このため、第１の接合部分２１、第２の接合部分２２、第３の接合部分２３、およびブラケット４０は、ディスプレイ画面１０の側壁１３を一緒に包み、かつカバー・プレート３０がブラケット４０に接続されることを可能にして、その結果、ディスプレイ画面１０、コネクタ２０、およびカバー・プレート３０をブラケット４０の頂部分４１に結合する。
【００７０】
他の実施形態において、図１２から図１５に示されるとおり、前述の組立て方法におけるブロックにおけるアクションは、以下の順序：ブロックＳ１、ブロックＳ３、ブロックＳ２、ブロックＳ４、ブロックＳ５、ブロックＳ６の順序で実行されてよく、ここで、ブロックＳ４におけるアクションとブロックＳ５におけるアクションは、同時に実行されてよい。
【００７１】
別の一実施形態において、図１２から図１５に示されるとおり、前述の組立て方法におけるブロックにおけるアクションは、以下の順序：ブロックＳ３、ブロックＳ１、ブロックＳ２、ブロックＳ４、ブロックＳ５、ブロックＳ６の順序で実行されてよく、ここで、ブロックＳ１におけるアクションとブロックＳ２におけるアクションは、同時に実行されてよく、ブロックＳ４におけるアクションとブロックＳ５におけるアクションもまた、同時に実行されてよい。
【００７２】
さらに別の一実施形態において、図１２から図１５に示されるとおり、前述の組立て方法におけるブロックにおけるアクションは、以下の順序：ブロックＳ５、ブロックＳ１、ブロックＳ３、ブロックＳ２、ブロックＳ４、ブロックＳ６の順序で実行されてよく、ここで、ブロックＳ２におけるアクションとブロックＳ４におけるアクションは、同時に実行されてよい。
【００７３】
ディスプレイ画面組立品を組み立てるための前述の方法におけるブロック（ブロックＳ１からブロックＳ６）におけるアクションの実行順序は、上記リストの順序に限定されず、ディスプレイ画面組立品の組立てが完成する限り、他の様々な順序で実行される前述のブロック（ブロックＳ１からブロックＳ６）を含む他の任意の組立て方法が、本開示の保護範囲に入ることを理解されたい。
【００７４】
図１１に示されるとおり、本開示の一実施形態において、電子デバイス２００は、後部カバー５０と、バッテリ６０とをさらに含む。後部カバー５０は、収容スペース２０２を画定するようにディスプレイ画面組立品１００と接合され、バッテリ６０が、収容スペース２０２に収容される。一部の実施形態において、後部カバー５０とブラケット４０の間の接続様態は、接着すること、はめ込むこと、ねじ込み接続、またはねじ留めすることであってよい。
【００７５】
本開示の実施形態による電子デバイス２００、ディスプレイ画面組立品１００、およびディスプレイ画面組立品を組み立てるための方法において、コネクタ２０が、カバー・プレート３０をブラケット４０と接合するのに使用され、したがって、電子デバイス２００が落下し、それ故、衝突もしくは揺さぶりを受けた場合、カバー・プレート３０が、衝突もしくは揺さぶりのためにディスプレイ画面１０を上向きに引っ張り、コネクタ２０が、下向きに引っ張る力をカバー・プレート３０に加えて、カバー・プレート３０によってディスプレイ画面１０に作用する上向きの牽引力が減少し、それにより、ディスプレイ画面１０が層状に剥離すること、およびひび割れすることを防止するようにする。さらに、第１の接合部分２１、第２の接合部分２２、第３の接合部分２３、およびブラケット４０が、ディスプレイ画面１０の側壁１３を一緒に包むので、ディスプレイ画面１０が層状に剥離すること、およびひび割れすることが、さらに制限される。
【００７６】
一部の実施形態において、コネクタ２０の第１の接合部分２１がディスプレイ画面１０の非ディスプレイ領域１５に接着される面積は、非ディスプレイ領域１５の面積以下である、すなわち、第１の接合部分２１は、非ディスプレイ領域１５の一部またはすべてを覆う。このため、第１の接合部分２１がディスプレイ画面１０のディスプレイ領域１４を遮蔽しないようにされてよく、ディスプレイ画面１０が大きいディスプレイ領域を有することが確保される。
【００７７】
図１６に示されるとおり、一部の実施形態において、コネクタ２０の第１の接合部分２１が、ディスプレイ画面１０の頂面１１に接合される。一部の実施形態において、第１の接合部分２１は、接着することを手段としてディスプレイ画面１０の頂面１１に接合される。一部の実施形態において、第１の接合部分２１は、接着することを手段としてディスプレイ画面１０に結合されることに限定されず、第１の接合部分２１は、はめ込むこと、溶接することなどを手段としてディスプレイ画面１０の頂面１１に結合されてもよい。
【００７８】
図１７に示されるとおり、一部の実施形態において、コネクタ２０の第２の接合部分２２が、ディスプレイ画面１０の側壁１３に接合される。一部の実施形態において、第２の接合部分２２は、接着することを手段としてディスプレイ画面１０の側壁１３に接合される。一部の実施形態において、第２の接合部分２２は、接着することを手段としてディスプレイ画面１０に結合されることに限定されず、第２の接合部分２２は、はめ込むこと、溶接することなどを手段としてディスプレイ画面１０の側壁１３に結合されてもよい。この事例において、電子デバイス２００およびディスプレイ画面組立品１００に関して、コネクタ２０の第２の接合部分２２とディスプレイ画面１０の側壁１３の間の接着特性は、ディスプレイ画面１０が層状に剥離すること、およびひび割れすることをさらに制限する。
【００７９】
図１２に示されるとおり、一部の実施形態において、ブラケット４０は、頂部分４１の端部から上向きに延びる側壁４２を含み、ディスプレイ画面組立品１００は、装飾筐体７０をさらに含む。装飾筐体７０は、ブラケット４０の側壁４２の上に配置され、かつカバー・プレート３０およびディスプレイ画面１０を囲む。一部の実施形態において、装飾筐体７０は、プラスチックで作られてよく、かつ装飾筐体７０は、ブラケット４０が前もって準備されるインモールド射出成形を手段としてブラケット４０に接合される。他の実施形態において、装飾筐体７０とブラケット４０は、一体化して成形され、一体構造を形成するように製造される。
【００８０】
図１８に示されるとおり、一部の実施形態において、コネクタ２０の第２の接合部分２２が、ブラケット４０の側壁４２に接合される。一部の実施形態において、第２の接合部分２２は、接着することを手段としてブラケット４０の側壁４２に接合される。一部の実施形態において、第２の接合部分２２は、接着することを手段としてブラケット４０に結合されることに限定されず、第２の接合部分２２は、はめ込むこと、溶接することなどを手段としてブラケット４０の側壁４２に結合されてもよい。このため、コネクタ２０は、ブラケット４０の複数の表面（頂面４１および側壁４２）に接合されてよく、したがって、コネクタ２０とブラケット４０の間の接続は、安定している。このため、カバー・プレート３０とブラケット４０の間の接続は、コネクタ２０を使用することによって安定していてよく、カバー・プレート３０によってディスプレイ画面２０に作用する上向きの牽引力がさらに減少し、ディスプレイ画面が層状に剥離すること、およびひび割れすることが、さらに回避され得る。
【００８１】
本明細書全体にわたって「或る実施形態」、「一実施形態」、「一部の実施形態」、「例示的な実施形態」、「例」、「特定の例」、または「一部の例」について言及していることは、実施形態または例に関連して説明される特定の機能、構造、材料、または特性が、本開示の少なくとも１つの実施形態または例に含まれることを意味する。このため、本明細書全体にわたるそれらの句の前述の出現は、必ずしも、本開示の同一の実施形態または例を参照しているわけではない。さらに、特定の機能、構造、材料、または特性は、１つまたは複数の実施形態または例において任意の適切な様態で組み合わせられてよい。
【００８２】
さらに、「第１の」および「第２の」などの用語は、説明の目的で本明細書において使用され、相対的な重要度もしくは有意性を示す、もしくは暗示するようにも、示される技術的機能の数を暗示するようにも意図されていない。このため、「第１の」および「第２の」で規定される機能は、この機能のうちの１つまたは複数を備えてよい。本開示の説明において、「複数の」という用語は、特に別途明記されない限り、２つ以上を意味する。
【００８３】
例示的な実施形態が示され、説明されてきたが、前述の実施形態は、本開示を限定するように解釈されてはならず、本開示の原理および範囲を逸脱することなく、実施形態において変更、代替、および修正が行われてよいことが、当業者には理解されよう。
【図１】
0006821817.tif 000002
【図２】
0006821817.tif 000003
【図３】
0006821817.tif 000004
【図４】
0006821817.tif 000005
【図５】
0006821817.tif 000006
【図６】
0006821817.tif 000007
【図７】
0006821817.tif 000008
【図８】
0006821817.tif 000009
【図９】
0006821817.tif 000010
【図１０】
0006821817.tif 000011
【図１１】
0006821817.tif 000012
【図１２】
0006821817.tif 000013
【図１３】
0006821817.tif 000014
【図１４】
0006821817.tif 000015
【図１５】
0006821817.tif 000016
【図１６】
0006821817.tif 000017
【図１７】
0006821817.tif 000018
【図１８】
0006821817.tif 000019